(57)【特許請求の範囲】
【請求項１】
物品収納ケースに略板状の長手方向の両端部に設けた差込み係止部が係止され、物品収納ケースの被取付け面への取り付けに使用される物品収納ケースの取付け具であって、  前記差込み係止部が、基端部側から先端部側に細くなるように、かつ、徐々に薄くなるように形成され、当該取付け具を装着するための係止孔が所望の位置に予め設けられていない物品収納ケースに当該取付け具を湾曲形態としてから装着するに際し、物品収納ケースの前記差込み係止部が差し込まれる部位に、前記差込み係止部の先端部が差し入れられる係止孔を形成するための係止孔形成機構を前記差込み係止部の基端部に設けたことを特徴とする物品収納ケースの取付け具。
【請求項２】
前記係止孔形成機構が孔形状である請求項１記載の物品収納ケースの取付け具。
【請求項３】
前記係止孔形成機構が凸形状である請求項１記載の物品収納ケースの取付け具。
【請求項４】
前記差込み係止部の両側に、前記差込み係止部が前記物品収納ケースに差し込み係止された際に、前記物品収納ケースの外面に当接する当接部を備える請求項１記載の物品収納ケースの取付け具。
【請求項５】
前記物品収納ケースに当接し前記係止孔形成機構を使用する際に、その当接面に前記物品収納ケースからの位置ずれを防止する位置ずれ防止凸部を設けてなることを特徴とする請求項１記載の物品収納ケースの取付け具。
【発明の詳細な説明】
【技術分野】
【０００１】
この発明は、ティッシュケース等の物品収納ケースの取付け具に関する。
【背景技術】
【０００２】
ティシュケース等はティッシュの使用場所に近い壁面等に取り付けられることで便利に使用される。その取り付けは、例えば、ティシュケースの底面部に取付け具が装着され、その取付け具が壁面等に適宜の取り付け構造により取り付けられることで行われる。上記取付け具として、両端に差込み係止部を備え、その差込み係止部がティッシュケース等の底面部に設けられた係止孔それぞれに係止されて用いられるものが提供されている。（特許文献１）。
【先行技術文献】
【特許文献】
【０００３】
【特許文献１】特開２００２−３６９７６７号
【発明の概要】
【発明が解決しようとする課題】
【０００４】
上記の取付け具は、ティッシュケース等の底面部に予め形成された係止孔に差込み係止部を係止して用いている。したがって、係止孔が無いティッシュケースでは取付け具の使用が行えず、使用する場合には寸法を測り所定位置に係止孔を設けるという手間がかかる。また、ティッシュケース等の底面部に係止孔があっても、側面部において壁面等に取り付けたい場合もあり、その際にも取付け具が使用できなかった。
【課題を解決するための手段】
【０００５】
この発明は上記の事情に鑑みて行ったもので、ティッシュケース等の物品収納ケースの壁面等への取付け具を介しての取り付けを、物品収納ケース側に取付け具の係止孔が無い場合においても、係止孔を容易に形成することで行えるようにすることを目的とする。
【０００６】
この発明は、物品収納ケースに略板状の長手方向の両端部に設けた差込み係止部が係止され、物品収納ケースの被取付け面への取り付けに使用される物品収納ケースの取付け具であって、前記差込み係止部が、基端部側から先端部側に細くなるように、かつ、徐々に薄くなるように形成され、当該取付け具を装着するための係止孔が所望の位置に予め設けられていない物品収納ケースに当該取付け具を湾曲形態としてから装着するに際し、物品収納ケースの前記差込み係止部が差し込まれる部位に、前記差込み係止部の先端部が差し入れられる係止孔を形成するための係止孔形成機構を前記差込み係止部の基端部に設けたことを特徴とする物品収納ケースの取付け具を提供する。以下、「物品収納ケースの取付け具」を「取付け具」と略称する。この発明の取り付け具は、ティッシュケース、キッチンペーパーケース、コットンケース等として、さらに、内部にラップフィルム、クッキングシート、アルミホイル等の各種ロール体を収納する収納ケース等として用いられる。 
【０００７】
上記構成によれば、取付け具を物品収納ケースの取付け具が装着される位置に配置して、係止孔形成機構により係止孔を形成し、その係止孔に差込み係止部を係止することで物品収納ケースに取付け具が装着される。これにより、物品収納ケースに係止孔が無い場合、また有っても所望の位置に無い場合、係止孔を設けることで取付け具を使用して物品収納ケースを取り付けることができるようになる。
【０００８】
物品収納ケースの係止孔が、実際に装着使用される取付け具の差込み係止部が差し込まれる部位に相対する位置に設けられた係止孔形成機構において形成されるので、係止孔が寸法等を図ることなく容易に差込み係止部に対して精度良く位置して設けられ、これにより、取付け具の差込み係止部を係止しての物品収納ケースへの装着がスムーズになされる。
【０００９】
係止孔形成機構は孔形状、凸形状等とされ、孔形状の場合は孔内に筆記具やカッター等を差し入れて切り開くことにより係止孔を形成し、また、孔をガイドとして線を引き、取付け具を外した状態でカッター等により切り開き係止孔を形成する。凸形状の場合はその凸を押し付けることで係止孔位置に凹み形状の印を付し、取付け具を外した状態でカッター等により切り開き係止孔を形成する。
【００１０】
取付け具の差込み係止部の両側に、差込み係止部が物品収納ケースに差し込み係止された際に、物品収納ケースの外面に当接する当接部を備える構成とすることで、取付け具が装着された状態においては、押さえ部それぞれが物品収納ケースの外面を押さえ、その間位置において差込み係止部が物品収納ケースの内面を押さえ、外内両側から物品収納ケースを押さえ状態とすることで物品収納ケースの取付け具は安定して装着される。また、係止孔が所定形状より長く形成された場合にも、差込み係止部は両側の押さえ部のそれぞれに位置決めされる状態で係止孔に係止されるので、その際にも物品収納ケースの取付け具は安定して装着される。
【００１１】
取付け具を物品収納ケースに当接し係止孔形成機構を使用する際に、その当接面に物品収納ケースからの位置ずれを防止する位置ずれ防止凸部を設けた構成とすることで、物品収納ケースに取付け具を当接しての係止孔を形成する作業が、取付け具の位置ずれが起こりにくい安定した状態で行える。また、係止孔の形成時に取付け具が外れた場合には、位置ずれ防止凸部を物品収納ケースに形成された食い込み凹部に合わせることで、取付け具を元の位置に復帰させて作業が行える。
【００１２】
取付け具は塩化ビニール樹脂やＡＢＳ樹脂、さらに、金属材等の適宜の材料によって形成され、その形状も差込み係止部と係止孔形成機構とを所定位置に備えるものであれば適宜であってよい。また、取付け具の壁面等への取り付け構造は、マグネットや粘着層等の適宜の構造が採用される。
【発明の効果】
【００１３】
この発明の取付け具を用いることで、ティッシュケースやラップケース等の物品収納ケースの壁面等への取付け具を介しての取り付けを、物品収納ケース側に係止孔が無い場合においても、係止孔を容易に形成することで行えるようになる。
【図面の簡単な説明】
【００１４】
【図１】この発明の取付け具の実施形態の表面側斜視図を示す。
【図２】この発明の取付け具の実施形態の裏面側斜視図を示す。
【図３】この発明の取付け具の異なる実施形態の表面側斜視図を示す。
【図４】この発明の取付け具の異なる実施形態の裏面側斜視図を示す。
【図５】この発明の取付け具の異なる実施形態の使用説明図を示す。
【図６】この発明の取付け具の異なる実施形態の使用説明図を示す。
【図７】この発明の取付け具の異なる実施形態の使用説明図を示す。
【図８】この発明の取付け具の異なる実施形態の使用説明図を示す。
【図９】この発明の取付け具の異なる実施形態の使用説明図を示す。
【図１０】この発明の取付け具の異なる実施形態の使用説明図を示す。
【図１１】この発明の取付け具の異なる実施形態の使用説明図を示す。
【図１２】この発明の取付け具の異なる実施形態の使用説明図を示す。
【図１３】この発明の取付け具のさらに異なる実施形態の表面側斜視図を示す。
【図１４】この発明の取付け具のさらに異なる実施形態の裏面側斜視図を示す。
【図１５】この発明の取付け具のさらに異なる実施形態の使用説明図を示す。
【図１６】この発明の取付け具のさらに異なる実施形態の平面図を示す。
【図１７】この発明の取付け具のさらに異なる実施形態の平面図を示す。
【図１８】この発明の取付け具のさらに異なる実施形態の平面図を示す。
【発明を実施するための形態】
【００１５】
図１はこの発明の取付け具の実施形態の表面側斜視図、図２は同裏面側斜視図である。取付け具１は、樹脂製の取付け具本体３の表面側にマグネットシート５が取り付けられて構成されている。取付け具本体３は全体が扁平な帯状形態で、表面側の略全体にわたって帯状形態のマグネットシート５が埋設されて取り付けられている。取付け具本体３の裏面の端部７それぞれに近い部位には、幅方向における中央位置に扁平円錐形状の微小な突起（位置づれ防止凸部）９のそれぞれが突出形成されている。
【００１６】
端部７のそれぞれは中央位置に差込み係止部１０を備えている。差込み係止部１０はその先端部１１側が細くなるように両側に傾斜縁１２を備え、かつ、その厚みは先端部１１側が徐々に小さくされている。差込み係止部１０の傾斜縁１２の起点それぞれの近傍位置間にはスリット形態の係止孔形成用ガイド孔（係止孔形成機構）１５が形成されている。
【００１７】
図３は他の実施形態の表面側斜視図、図４は同裏面側斜視図である。この実施形態のものは、上記の実施形態のものにおいて、端部７のそれぞれの両側位置に一対の押さえ部（当接部）８を備える構成となっている。
【００１８】
以下、上記図３、図４に示す取付け具１のティッシュケース（物品収納ケース）１００における使用方法を説明する。始めに、図５に示すように、取付け具１をティッシュケース１００面に当接配置する。その当接するティッシュケース１００面は壁面等への取付け面とされる面、例えば、ティッシュケース１００の底面部１０１の外面が選択され、その当接される位置は取付け具１が実際に装着される位置とされる。
【００１９】
その当接した状態において、図６に示すように、取付け具１の係止孔形成用ガイド孔１５内にボールペンや鉛筆の筆記具１７の筆記端１８を差し入れて、係止孔形成用ガイド孔１５に沿って線を引くように何度も力を入れて筆記端１８を動かすことで、底面部１０１に係止孔３０（図７、図８参照）を形成する。係止孔３０は、係止孔形成用ガイド孔１５にカッターを差し入れることで切り開いて形成してもよく、また、係止孔形成用ガイド孔１５に沿って線を引いて取付け具１を外し、その線を案内としてカッターにより切り開き形成してもよい。上記の係止孔３０の形成は、取付け具１をそのままの位置として、両方の係止孔形成用ガイド孔１５それぞれにおいて同様に行う。
【００２０】
上記の取付け具１を当接しての作業は、取付け具本体３の裏面の突起９のそれぞれが２点で底面部１０１の外面に食い込んだ状態で行われるので、取付け具１の位置ずれが起こりにくく安定してその作業が行える。また、取付け具１が外れた場合には、突起９それぞれを底面部１０１の外面に形成された食い込み凹みそれぞれに合わせることで、取付け具１を元の位置に復帰させて作業が行える。
【００２１】
次に、図７に示すように、形成された係止孔３０に取付け具１の差込み係止部１０を上方から差し入れ上下することで、孔形状を整形する。その際の差し込みは、押さえ部８それぞれの先端が底面部１０１の外面に当たる位置まで差込み係止部１０が差し込まれて行われる。
【００２２】
次に、図８、図９に示すように、斜め方向から一方の差込み係止部１０が一方の係止孔３０に差し入れられ、さらに、取付け具１が湾曲形態とされて他方の差込み係止部１０が他方の係止孔３０に差し入れられ、取付け具１が直線形態に復帰することで、図１０、図１１、図１２に示すように、取付け具１はティッシュケース１００に装着される。上記の差込み係止部１０の係止孔３０への差し込みは、差込み係止部１０の先端部１１側が細く、かつ、その厚みが小さくされていることでスムーズになされる。
【００２３】
取付け具１の装着状態においては、差込み係止部１０は係止孔形成用ガイド孔１５の位置まで係止孔３０を拡開しながら差し込まれる。これにより、両側において押さえ部８のそれぞれがティッシュケース１００の底面部１０１の外面を押さえ、その間位置において差込み係止部１０がティッシュケース１００の底面部１０１の内面を押さえ、上下両側からティッシュケース１００の底面部１０１を押さえ状態とすることで取付け具１は安定して装着される。また、カッターにより誤って係止孔３０が所定形状より長く形成された場合にも、差込み係止部１０は両側の押さえ部８のそれぞれに位置決めされる状態で係止孔３０に係止されるので、取付け具１は差込み係止部１０が位置ずれすることなく安定して装着される。上記のように取付け具１が装着されたティッシュケース１００は、そのマグネットシート５が吸着されることで金属製の壁面や扉面、また、冷蔵庫ドア面等に取り付けられて使用される。図１、図２に示す実施形態のものも、押さえ部８以外の部分においては、同様に使用される。
【００２４】
図１３はさらに異なる他の実施形態の表面側斜視図、図１４は同裏面側斜視図である。この実施形態では、上記実施例それぞれの係止孔形成用ガイド孔１５に代えて、差込み係止部１０の裏面に断面を三角とする凸条２０が突出形成されている。この取付け具１がティッシュケース１００の底面部１０１の外面の取付け具１が実際に取り付けられる位置に当接配置されて押し付けられることで、図１５に示すように、その突条２０が底面部１０１の外面に食い込む状態となる。取付け具１を外しその食い込みによって形成される凹線に沿ってカッターにより切り開くことで係止孔３０が形成される。図面において上記実施形態と同じ要素には、同じ番号を付している。
【００２５】
図１６、図１７、図１８はさらに異なる他の実施形態を示す。これら図面において上記実施形態と同じ要素には、同じ番号を付している。図１６に示す取付け具１では、端部７それぞれに２個の差込み係止部１０が形成され、その間に押さえ部８が設けられており、図１７に示す取付け具１では、端部７それぞれの差込み係止部１０が取付け具１の長手方向と直交し、かつ、互いが異なる方向となるように設けられ、押さえ部８はその両側に位置している。図１８に示す取付け具１では、両側の端部７それぞれに開口４０が設けられ、差込み係止部１０は裏面側において開口４０に臨むように、取付け具１の長手方向と直交し、かつ、互いが同じ方向となるように設けられていて、開口４０の側部が押さえ部８となる。係止孔形成用ガイド孔１５は端部７の差込み係止部１０の基部近傍に設けられている。これら実施形態のものも上記実施形態のものと同様に係止孔形成用ガイド孔１５において係止孔３０が形成され、その係止孔３０に差込み係止部１０が係止されてティッシュケース１００等に装着使用される。
【符号の説明】
【００２６】
１      取付け具
１０    差込み係止部
１５    係止孔形成用ガイド孔（差し込み孔形成機能部）
１００  ティッシュケース（物品収納ケース）
【図１】
0006042318.tif 000002
【図２】
0006042318.tif 000003
【図３】
0006042318.tif 000004
【図４】
0006042318.tif 000005
【図５】
0006042318.tif 000006
【図６】
0006042318.tif 000007
【図７】
0006042318.tif 000008
【図８】
0006042318.tif 000009
【図９】
0006042318.tif 000010
【図１０】
0006042318.tif 000011
【図１１】
0006042318.tif 000012
【図１２】
0006042318.tif 000013
【図１３】
0006042318.tif 000014
【図１４】
0006042318.tif 000015
【図１５】
0006042318.tif 000016
【図１６】
0006042318.tif 000017
【図１７】
0006042318.tif 000018
【図１８】
0006042318.tif 000019